(57)【要約】【課題】  ブレス流量検出部の出力信号のゼロ点が温度ドリフトにより移動する状況においても、吹奏者に快適な吹奏を行わせることができる電子吹奏楽器を提供する。【解決手段】  ブレス流量検出部７０は、吹息流を検出し、ブレス流量データＶｂを出力する。ＣＰＵ１００は、ゼロ点補正処理１０１と、楽音形成制御処理１０２を実行する。楽音形成制御処理１０２では、ブレス流量データＶｂに基づいて音源１２１による楽音信号の形成を制御する。ゼロ点補正処理１０１では、予め定められた条件が満たされたとき、その時点におけるブレス流量データＶｂに基づいて、ブレス流量データＶｂのゼロ点を示すゼロ点データＶｚを補正する。【選択図】図３
2008076781.tif 000002
【特許請求の範囲】
【請求項１】
吹息流を検出するブレス流量検出部と、
楽音信号を形成する音源と、
前記ブレス流量検出部の出力情報に基づいて前記音源を制御する制御手段とを具備し、
前記制御手段は、予め定められた条件が満たされたとき、その時点における前記ブレス流量検出部の出力情報に基づいて、前記ブレス流量検出部の出力情報のゼロ点を補正するゼロ点補正手段を具備することを特徴とする電子吹奏楽器。
【請求項２】
前記電子吹奏楽器は、操作によりＯＮにされるゼロ点補正スイッチを具備し、
前記ゼロ点補正手段は、前記ゼロ点補正スイッチがＯＮになったとき、前記予め定められた条件が満たされたとみなし、その時点における前記ブレス流量検出部の出力情報に基づいて、前記ブレス流量検出部の出力情報のゼロ点を補正することを特徴とする請求項１に記載の電子吹奏楽器。
【請求項３】
前記電子吹奏楽器は、吹奏者による吹奏が行われているか否かを検出する吹奏状態検出部を具備し、
前記ゼロ点補正手段は、前記吹奏状態検出部により吹奏者による吹奏が行われていないことが検出されたとき、前記予め定められた条件が満たされたとみなし、その時点における前記ブレス流量検出部の出力情報に基づいて、前記ブレス流量検出部の出力情報のゼロ点を補正することを特徴とする請求項１または２に記載の電子吹奏楽器。
【請求項４】
前記ゼロ点補正手段は、前記ブレス流量検出部の出力情報が示す値が所定の閾値を下回ったとき、前記予め定められた条件が満たされたとみなし、その時点における前記ブレス流量検出部の出力情報に基づいて、前記ブレス流量検出部の出力情報のゼロ点を補正することを特徴とする請求項１〜３のいずれか１の請求項に記載の電子吹奏楽器。
【請求項５】
前記ゼロ点補正手段は、前記電子吹奏楽器の電源が投入されたとき、前記予め定められた条件が満たされたとみなし、その時点における前記ブレス流量検出部の出力情報に基づいて、前記ブレス流量検出部の出力情報のゼロ点を補正することを特徴とする請求項１〜４のいずれか１の請求項に記載の電子吹奏楽器。
【請求項６】
前記ゼロ点補正手段は、前記予め定められた条件が満たされたとき、その時点における前記ブレス流量検出部の出力情報を前記ブレス流量検出部の出力情報のゼロ点とすることを特徴とする請求項１〜５のいずれか１の請求項に記載の電子吹奏楽器。
【請求項７】
前記電子吹奏楽器は、前記ブレス流量検出部の出力情報をプラス方向またはマイナス方向にシフトさせるシフト手段を具備し、
前記ゼロ点補正手段は、前記予め定められた条件が満たされたとき、前記ブレス流量検出部の出力情報が所定値となるように前記シフト手段による前記ブレス流量検出部の出力情報のシフト量を補正し、前記ブレス流量検出部の出力情報のゼロ点補正を行うことを特徴とする請求項１〜５のいずれか１の請求項に記載の電子吹奏楽器。
【発明の詳細な説明】
【技術分野】
【０００１】
この発明は、電子フルート等の電子吹奏楽器に関する。
【背景技術】
【０００２】
一般的に電子吹奏楽器には、吹奏圧を検出する圧力センサが設けられている。この圧力センサによって検出される圧力に基づき、楽音形成の際のノートオン、ノートオフのタイミング制御や音量の制御が行われる。なお、サックス型あるいはリコーダ型の電子吹奏楽器に関する先行技術文献として、例えば特許文献１、２等がある。
【特許文献１】特開平９−６３５２号公報
【特許文献２】特開２００２−２７８５５６号公報
【発明の開示】
【発明が解決しようとする課題】
【０００３】
ところで、サックス型あるいはリコーダ型の電子吹奏楽器では、吹奏者は管を加えて閉空間を作り、この閉空間に息を吹き込んで吹奏を行うので、この閉空間内に設けられた圧力センサにより吹奏圧を効率的に電気信号に変換することが可能である。従って、圧力センサの出力信号のゼロ点に温度ドリフトが生じたとしても、それが吹奏に対して及ぼす影響は少ない。しかし、フルート型の電子吹奏楽器（以下、電子フルートという）等では、吹奏者が開空間に吹き込んで吹奏を行うため、この吹奏者の息の流速を検出するためのブレス流量検出部が開空間に設けられる。このブレス流量検出部は、開空間において息の流速を圧力に変換し、この圧力を圧力センサにより電気信号に変換するものであるため、息の流速を最終的な電気信号に変換する際の変換効率が非常に低い。このため、ブレス流速検出部では、圧力センサの出力信号を高いゲインで増幅し、息の流速を示す電気信号を発生する。従って、ブレス流量検出部の出力信号は、温度ドリフトによりゼロ点が移動し易く、このゼロ点がマイナス側に移動すると、楽音がノートオンし難くなり、プラス側に移動すると、吹奏を終了しても楽音が鳴りっぱなしになる。このように、従来の電子フルート等の電子吹奏楽器は、ブレス流量検出部の出力信号のゼロ点が温度ドリフトにより移動し易く、吹奏に支障が生じるという問題があった。
【０００４】
この発明は、以上説明した事情に鑑みてなされたものであり、ブレス流量検出部の出力信号のゼロ点が温度ドリフトにより移動する状況においても、吹奏者に快適な吹奏を行わせることができる電子吹奏楽器を提供することを目的とする。
【課題を解決するための手段】
【０００５】
この発明は、吹息流を検出するブレス流量検出部と、楽音信号を形成する音源と、前記ブレス流量検出部の出力情報に基づいて前記音源を制御する制御手段とを具備し、前記制御手段は、予め定められた条件が満たされたとき、その時点における前記ブレス流量検出部の出力情報に基づいて、前記ブレス流量検出部の出力情報のゼロ点を補正するゼロ点補正手段を具備することを特徴とする電子吹奏楽器を提供する。
かかる発明によれば、予め定められた条件が満たされたとき、その時点におけるブレス流量検出部の出力情報に基づいて、ブレス流量検出部の出力情報のゼロ点の補正が行われる。従って、ブレス流量検出部の出力信号のゼロ点が温度ドリフトにより移動する状況においても、吹奏者に快適な吹奏を行わせることができる。
好ましい態様では、「予め定められた条件」として、次のような適切な条件が定められる。
ａ．吹奏者によるゼロ点補正スイッチの操作
ｂ．吹奏者による吹奏が行われていない状態の検出
ｃ．ブレス流量検出部の出力情報が所定の閾値を下回っており、明白なゼロ点移動が認められる状況の検出
ｄ．電子吹奏楽器の電源投入
ゼロ点の補正の態様には２つの態様がある。第１の態様では、予め定められた条件が満たされたとき、その時点におけるブレス流量検出部の出力情報をブレス流量検出部の出力情報のゼロ点とする。第２の態様では、ブレス流量検出部の出力情報をプラス方向またはマイナス方向にシフトさせるシフト手段が設けられる。この態様において、ゼロ点補正手段は、予め定められた条件が満たされたとき、ブレス流量検出部の出力情報が所定値となるようにシフト手段によるブレス流量検出部の出力情報のシフト量を補正し、ブレス流量検出部の出力情報のゼロ点補正を行う。
【発明を実施するための最良の形態】
【０００６】
以下、図面を参照し、この発明の実施の形態を説明する。
【０００７】
＜第１実施形態＞
図１は、この発明による電子吹奏楽器の第１実施形態である電子フルートの概観を示す図である。図１に示すように、電子フルートの筐体１は、頭管部１０、主管部２０および足管部３０からなる。そして、主管部２０および足管部３０には、吹奏者の手指による操作を受け付ける操作子である演奏用キー４０が、頭管部１０には口唇による操作を受け付ける操作子であるリッププレート５０がそれぞれ設けられている。また、リッププレート５０には、呼気吸入口５１とブレス流量検出部７０が設けられている。ここで、ブレス流量検出部７０は、呼気吸入口５１を介して流入する吹息流の流速を検出し、ブレス流量データを出力する装置である。
【０００８】
図２は、ブレス流量検出部７０の構成を示す図である。この図に示すように、ブレス流量検出部７０は、圧力センサ７１と、呼気吸入口５１から流入する吹息流を受け入れて圧力センサ７１に導く円錐型の機構であるジェットコレクタ７２を有している。ブレス流量データは、圧力センサ７１の出力信号に基づいて出力される。本実施形態の特徴は、このブレス流量検出部７０が出力するブレス流量データの処理において行われるゼロ点補正に関する技術にある。
【０００９】
本実施形態において、ゼロ点補正が行われる契機には、複数種類のものがある。第１の契機は、電子フルートの電源が投入されたときである。第２の契機は、吹奏者からゼロ点補正の指示が与えられた場合である。この第２の契機を捉えるために、図１に示すように、ゼロ点補正スイッチ８０が筐体における吹奏の邪魔にならない位置（図示の例では頭管部１０においてリッププレート５０から十分に離れた位置）に設けられている。このゼロ点補正スイッチ８０は、吹奏者がゼロ点補正を指示する際にＯＮ状態とするスイッチであり、吹奏の邪魔にならないものであれば、如何なる構成のものでもよい。第３の契機は、吹奏者が吹奏を行っていないと認められるときである。この第３の契機を捉えるために主管部２０には吹奏者の左手指の接触を検出するメンブレンスイッチ、タッチセンサ等の接触検出センサ６１ａが設けられ、リッププレート５０には、吹奏者の口唇の接触を検出するメンブレンスイッチ、タッチセンサ等の接触検出センサ６１ｂが設けられている。第４の契機は、ブレス流量検出部７０から出力されるブレス流量データに明白なドリフトが認められる場合である。
【００１０】
図３は本実施形態による電子フルートの電気的構成を示すブロック図である。図３において、キースイッチ群４１は、主管部２０および足管部３０に設けられた各演奏用キーによりＯＮ／ＯＦＦされる複数のキースイッチにより構成されている。
【００１１】
ブレス流量検出部７０は、図２に示す圧力センサ７１およびジェットコレクタ７２の他に、圧力センサ７１の出力信号を増幅するアンプ７３と、アンプ７３の動作点（圧力ゼロを示す信号が圧力センサ７１から与えられたときのアンプ７３の出力信号）を固定電圧ΔＶ（この例ではΔＶ＝０．５Ｖ）だけプラス方向にシフトさせる加算器７４と、加算器７４の出力信号のＡ／Ｄ変換を行い、ブレス流量データＶｂとして出力するＡ／Ｄ変換器７５とを有している。圧力センサ７１は、ジェットコレクタ７２を介して流入する吹息流を受ける歪ゲージを含むブリッジ回路により構成されている。加算器７４によりアンプ７３の動作点をオフセットΔＶ＝０．５Ｖだけプラス方向にシフトさせる理由は次の通りである。まず、本実施形態では、図３に示す電子フルートの制御系の回路を単一電源で動作させるため、アンプ７３の出力信号が０Ｖを下回ることはない。一方、圧力センサ７１にはドリフトが生じ、かつ、微小ではあるがアンプ７３にもドリフトが生じる。ここで、アンプ７３の出力信号をプラス方向にシフトさせるドリフトが発生した場合には、息を吹き込んでいない状態におけるアンプ７３の出力信号が０Ｖから浮き上がるので、このときのアンプ７３の出力信号をゼロ点として扱う方法を採ればよい。しかしながら、アンプ７３の出力信号をマイナス方向にシフトさせるドリフトが発生した場合には、このような対処を行うことができない。アンプ７３の出力信号をマイナス方向にシフトさせるドリフトが発生している場合には、このシフト分相当の圧力を上回る圧力を圧力センサ７１に与えないと、圧力センサ７１に与えられる圧力の上昇がアンプ７３の出力信号の上昇となって現れないからである。このような事態を避けるため、本実施形態では、アンプ７３の出力信号に正のオフセットΔＶを与え、圧力センサ７１に与えられる圧力がゼロから僅かでも上昇したときにはそれに応じてアンプ７３の出力信号が上昇するようにしているのである。オフセットΔＶを０．５Ｖとするのは、アンプ７３のドリフトのみを考慮するのであるなら、オフセットΔＶは０．５Ｖよりも低くてもよいが、圧力センサ７１のドリフトの影響を克服するためには、０．５ＶのオフセットΔＶが必要だからである。
【００１２】
吹奏状態検出部６０は、図１における接触検出センサ６１ａおよび６１ｂと、これらの接触検出センサ６１ａおよび６１ｂの少なくとも一方がＯＦＦである状態が所定時間以上継続した場合に、吹奏者による吹奏が行われていない旨を示す非吹奏状態信号を出力する回路とを有している。
【００１３】
ＣＰＵ１００は、この電子フルート全体の制御を行う装置である。ＲＯＭ１１１は、ＣＰＵ１００によって実行される各種の制御プログラムを記憶した読み出し専用メモリである。ＲＡＭ１１２は、ＣＰＵ１００によってワークエリアとして使用される。音源１２１は、ＣＰＵ１００による制御の下、楽音信号を形成する装置である。サウンドシステム１２２は、音源１２１により形成された楽音信号を音として放音する装置である。
【００１４】
図３には、ＣＰＵ１００がＲＯＭ１１１内の制御プログラムに従って実行する処理として、ゼロ点補正処理１０１と、楽音形成制御処理１０２が示されている。ＣＰＵ１００は、電子フルートの電源が投入されると、これらのゼロ点補正処理１０１と楽音形成制御処理１０２の並列実行を開始する。ゼロ点補正処理１０１は、ブレス流量検出部７０から与えられるブレス流量データＶｂを楽音形成制御処理１０２に引き渡すとともに、上述した４つの契機を捉えてゼロ点補正のためのゼロ点データＶｚを生成し、このゼロ点データＶｚを楽音形成制御処理１０２に引き渡し、ブレス流量データＶｂのゼロ点を楽音形成制御処理１０２に認識させる処理である。楽音形成制御処理１０２は、キースイッチ群４１の各キースイッチのＯＮ／ＯＦＦ状態等に基づいて発音すべき楽音の音高を決定するパラメータを生成するとともに、ゼロ点補正処理１０１を介して与えられるブレス流量データＶｂおよびゼロ点データＶｚに基づいてノートオンタイミング、ノートオフタイミング、音量等を制御するためのパラメータを生成し、生成したパラメータを音源１２１に与えて、楽音信号の形成を行わせる処理である。
以上が本実施形態による電子フルートの詳細である。
【００１５】
図４は本実施形態におけるゼロ点補正処理１０１の処理内容を示すフローチャートである。以下、この図を参照し、本実施形態の動作を説明する。電子フルートの電源が投入されると、ＣＰＵ１００は、このゼロ点補正処理１０１と楽音形成制御処理１０２の並列実行を開始する。ゼロ点補正処理１０１では、まず、ブレス流量検出部７０からブレス流量データＶｂを取り込んで楽音形成制御処理１０２に引き渡すとともに、このブレス流量データＶｂをバッファＶｂｕｆに格納する（ステップＳ１０１）。次にバッファＶｂｕｆの内容をゼロ点データＶｚとして楽音形成制御処理１０２に引き渡し、このゼロ点データＶｚの値をブレス流量データＶｂのゼロ点として楽音形成制御処理１０２に認識させる（ステップＳ１０２）。このようにして、電源投入を契機としたゼロ点補正が行われる（第１の契機に応じたゼロ点補正）。
【００１６】
次にゼロ点補正処理１０１では、ブレス流量検出部７０からブレス流量データＶｂを取り込んで楽音形成制御処理１０２に引き渡す（ステップＳ１０３）。次にゼロ点補正スイッチ８０がＯＮであるか否かを判断する（ステップＳ１０４）。この判断結果が「ＮＯ」である場合には、吹奏状態検出部６０から非吹奏状態信号が出力されているか否かを判断する（ステップＳ１０５）。この判断結果が「ＮＯ」である場合には、ブレス流量検出部７０から取り込んだブレス流量データＶｂがバッファＶＢＵＦの内容よりも小さいか否かを判断する（ステップＳ１０６）。この判断結果が「ＮＯ」である場合にはステップＳ１０３に戻って同様な処理を繰り返す。ゼロ点補正スイッチ８０がＯＦＦであり、非吹奏状態信号が出力されず、かつ、ブレス流量検出部７０から取り込まれるブレス流量データＶｂがバッファＶＢＵＦの内容以上である期間は、ステップＳ１０４〜Ｓ１０６の判断結果がいずれも「ＮＯ」となり、ステップＳ１０３〜Ｓ１０６が繰り返される。この間、ゼロ点データＶｚは変化せず、ブレス流量検出部７０から出力されるブレス流量データＶｂはゼロ点補正処理１０１のステップＳ１０３を介して楽音形成制御処理１０２に引き渡される。
【００１７】
吹奏中、温度ドリフト等により、ブレス流量データＶｂのゼロ点がプラス側に移動すると、吹奏圧がゼロであるときでも、ゼロ点データＶｚが示す値以上のブレス流量データＶｂが楽音形成制御処理１０２に引き渡されるため、吹奏していないのに音が鳴り続ける、という不都合な状態となる。逆に、温度ドリフト等により、ブレス流量データＶｂのゼロ点がマイナス側に移動すると、吹奏者が息を吹き込んでからノートオンまでに遅れが生じる、という不都合な状態となる。このような場合、吹奏者は、ゼロ点補正スイッチ８０をＯＮにすることにより、電子フルートにゼロ点補正を行わせ、不都合な状態を回避することができる。すなわち、ゼロ点補正スイッチ８０がＯＮになると、ゼロ点補正処理１０１の処理過程において、ステップＳ１０４に進んだときに、その判断結果が「ＹＥＳ」となり、ステップＳ１０１およびＳ１０２が実行される。この結果、ブレス流量検出部７０から取り込まれたブレス流量データＶｂがバッファＶｂｕｆに格納されるとともに、ゼロ点データＶｚとして楽音形成制御処理１０２に引き渡される（第２の契機に応じたゼロ点補正）。これにより、ドリフト等によりブレス流量データＶｂのゼロ点が移動していたとしても、ゼロ点データＶｚがそのゼロ点に対応した値とされるため、上記のような不都合が回避される。
【００１８】
以上のゼロ点補正は、吹奏者の意思に従って行われるものであるが、本実施形態では、吹奏者の意思によらず、自動的にゼロ点補正が行われる場合がある。例えば吹奏者の手および口唇が所定期間以上に亙って電子フルートから離れると、吹奏状態検出部６０から非吹奏状態信号が出力される。このとき、吹奏は行われていないので、ブレス流量検出部７０から出力されるブレス流量データＶｂは圧力ゼロに対応した値である。そこで、本実施形態では、このような場合にゼロ点補正が行われる。すなわち、吹奏状態検出部６０から非吹奏状態信号が出力されると、ゼロ点補正処理１０１の処理過程において、ステップＳ１０５に進んだときに、その判断結果が「ＹＥＳ」となり、ステップＳ１０１およびＳ１０２が実行されるのである（第３の契機に応じたゼロ点補正）。また、吹奏中、温度ドリフト等によりブレス流量データＶｂのゼロ点がマイナス側に移動すると、吹奏圧が０であるときにブレス流量検出部７０から取り込まれるブレス流量データＶｂがバッファＶｂｕｆの値よりも小さくなる。この場合、ゼロ点補正処理１０１の処理過程において、ステップＳ１０６に進んだときに、その判断結果が「ＹＥＳ」となり、ステップＳ１０１およびＳ１０２が実行される（第４の契機に応じたゼロ点補正）。
【００１９】
以上説明したように、本実施形態によれば、温度ドリフト等によりブレス流量データＶｂのゼロ点が移動する状況においても、吹奏者によるゼロ点補正スイッチ８０の操作により、あるいは自動的にブレス流量データＶｂのゼロ点補正が行われ、吹奏者に快適な吹奏を行わせることができるという効果が得られる。
【００２０】
＜第２実施形態＞
図５はこの発明による電子吹奏楽器の第２実施形態である電子フルートの電気的構成を示すブロック図である。なお、この図において、上述した第１実施形態（図３）と対応する部分には同一の符号を付し、その説明を省略する。
【００２１】
本実施形態による電子フルートには、ブレス流量検出部７０の加算器７４にオフセットキャンセルのための電圧を与える電源として、可変電圧源１３０が設けられている。ここで、加算器７４と可変電圧源１３０は、ブレス流量検出部７０の出力情報であるブレス流量データＶｂをプラス方向またはマイナス方向にシフトさせるシフト手段を構成している。また、本実施形態において、ＣＰＵ１００は、上記第１実施形態におけるゼロ点補正処理１０１の代わりに、ゼロ点補正処理１０１Ａを実行する。上記第１実施形態におけるゼロ点補正処理１０１では、ブレス流量検出部７０の圧力センサ７１に与えられる圧力がゼロになっていると考えられる第１〜第４の契機を捉え、楽音形成制御処理１０２に認識させるブレス流量データＶｂのゼロ点（すなわち、ゼロ点データＶｚ）をその時点におけるブレス流量データＶｂに一致させるゼロ点補正を行った。これに対し、本実施形態におけるゼロ点補正処理１０１Ａでは、楽音形成制御処理１０２に認識させるゼロ点データＶｚは常に定のオフセット値Ｖｏｆｆｓｅｔに固定し、第１〜第４の契機を捉えて、ブレス流量データＶｂ自体がオフセット値Ｖｏｆｆｓｅｔとなるように可変電圧源１３０の出力電圧の補正を行う。すなわち、上記第１実施形態では、楽音形成制御処理１０２がブレス流量データＶｂを解釈する上でのゼロ点を補正したのに対し、本実施形態では、Ｖｂ＝Ｖｏｆｆｓｅｔとなるように上記シフト手段のシフト量を補正してブレス流量データＶｂのゼロ点補正を行うのである。
【００２２】
図６は本実施形態におけるゼロ点補正処理１０１Ａの処理内容を示すフローチャートである。図６において、ステップＳ２０１では、ブレス流量データＶｂ自体がオフセット値Ｖｏｆｆｓｅｔとなるように可変電圧源１３０の出力電圧の補正を行う。この処理は、上記第１実施形態におけるステップＳ１０１およびＳ１０２と同様、上記第１〜第４の契機において実行される。図７はこのステップＳ２０１の処理の具体例を示すフローチャートである。この例では、ブレス流量データＶｂをブレス流量検出部７０から取り込み（ステップＳ３０１）、Ｖｂ＞Ｖｏｆｆｓｅｔであれば可変電圧源１３０の出力電圧を下げてステップＳ３０１に戻り（ステップＳ３０２およびＳ３０３）、Ｖｂ＜Ｖｏｆｆｓｅｔであれば可変電圧源１３０の出力電圧を上げてステップＳ３０１に戻る（ステップＳ３０２およびＳ３０４）、という処理をＶｂ＝Ｖｏｆｆｓｅｔとなるまで繰り返す。この繰り返しによりブレス流量データＶｂがオフセット値Ｖｏｆｆｓｅｔとなると、図６におけるステップＳ２０１の処理が終了し、ステップＳ２０３以降の処理が実行される。
【００２３】
ステップＳ２０３〜Ｓ２０６は、上記第２〜第４の契機を捉えてステップＳ２０１を実行するために設けられた判断処理であり、その内容は上記第１実施形態（図４）のステップＳ１０３〜Ｓ１０６と基本的に同様である。ただし、本実施形態では、ステップＳ１０６では、ブレス流量データＶｂがオフセット値Ｖｏｆｆｓｅｔよりも小さくなった場合に、温度ドリフト等によるブレス流量データＶｂのゼロ点のマイナス方向への移動があったと判断し、ステップＳ２０１へ進むようになっている。これは、本実施形態では、ブレス流量データＶｂのゼロ点をオフセット値Ｖｏｆｆｓｅｔに固定しているためである。
本実施形態においても上記第１実施形態と同様な効果が得られる。
【００２４】
以上、この発明の第１および第２実施形態について説明したが、この発明にはこれ以外にも他の実施形態が考えられる。例えば上記各実施形態では、本発明を電子フルートに適用した例を挙げたが、本実施形態は例えば電子ピッコロ、電子オカリナ等、他の種類の電子吹奏楽器にも適用可能である。
【図面の簡単な説明】
【００２５】
【図１】この発明による電子吹奏楽器の第１実施形態である電子フルートの概観を示す図である。
【図２】同実施形態におけるブレス流量検出部７０の構成を示す図である。
【図３】同実施形態による電子フルートの電気的構成を示すブロック図である。
【図４】同実施形態におけるゼロ点補正処理１０１の処理内容を示すフローチャートである。
【図５】この発明による電子吹奏楽器の第２実施形態である電子フルートの概観を示す図である。
【図６】同実施形態におけるゼロ点補正処理１０１Ａの処理内容を示すフローチャートである。
【図７】同ゼロ点補正処理１０１ＡのステップＳ２０１の処理の具体例を示すフローチャートである。
【符号の説明】
【００２６】
７０……ブレス流量検出部、８０……ゼロ点補正スイッチ、６０……吹奏状態検出部、６１ａ，６１ｂ……接触検出センサ、１００……ＣＰＵ、１１１……ＲＯＭ、１１２……ＲＡＭ、１２１……音源、１２２……サウンドシステム、１０１，１０１Ａ……ゼロ点補正処理、１０２……楽音形成制御処理。
【図１】
2008076781.tif 000003
【図２】
2008076781.tif 000004
【図３】
2008076781.tif 000005
【図４】
2008076781.tif 000006
【図５】
2008076781.tif 000007
【図６】
2008076781.tif 000008
【図７】
2008076781.tif 000009